(57)【要約】【課題】ロール紙に、周面に凹凸状（あるいは爪状）部分を有し、前記ロール紙の紙管の周速ＶＯ　より速い周速Ｖ（Ｖ＞Ｖ０　）で回転する分離円板を当接し、この分離円板の周面でロール紙後端をめくるときに発生する回転ムラを検知することによって、各色の紙管およびロール紙後端の固定（接着）状況にかかわらずロール紙後端を検知することにある。【解決手段】ロール紙１３を装着し、給送する給紙装置１１を備えた画像形成装置において、ロールエンド検知装置として、前記ロール紙１３に当接する、周面に凹凸状部分１４を有する分離円板１０を設け、前記分離円板１０を前記ロール紙１３の紙管１２の周速Ｖ０　より速い周速Ｖ（Ｖ＞Ｖ０　）で回転させ、前記分離円板１０の回転ムラを検知することを特徴とする。【選択図】　　　　図２
2004107080.tif 000002
【特許請求の範囲】
【請求項１】
ロール紙を装着し、給送する給紙装置を備えた画像形成装置において、ロールエンド検知装置として、前記ロール紙に当接する、周面に凹凸状部分を有する分離円板を設け、前記分離円板を前記ロール紙の紙管の周速Ｖ０　より速い周速Ｖ（Ｖ＞Ｖ０　）で回転させ、前記分離円板の回転ムラを検知することを特徴とする画像形成装置。
【請求項２】
前記ロール紙の搬送基準位置の近傍に前記分離円板を当接させたことを特徴とする請求項１記載の画像形成装置。
【請求項３】
前記ロール紙が剥離される位置の近傍に前記分離円板を当接させたことを特徴とする請求項１記載の画像形成装置。
【発明の詳細な説明】
【０００１】
【発明の属する技術分野】
本発明は、ロール紙後端（ロールエンド）を検知するロールエンド検知装置を備えた画像形成装置に関するものである。
【０００２】
【従来の技術】
画像形成装置に利用できるロールエンド検知装置は、特許文献１に記載されている。この公報の開示によれば、送りローラに圧接した従動ローラの周速変化によりロールエンドを検出する。
【０００３】
また、特許文献２には、ロール紙の支持軸の回転周期によってロールエンドを検出する技術が記載されている。さらに、特許文献３には、ロール紙裏面のパターンを認識し、ロールエンドを検出する技術が、そして、特許文献４には、紙管の色を判断してロールエンドを検出する技術が開示されている。
【０００４】
【特許文献１】
特開平７−１９６２３５号公報
【特許文献２】
特開平７−２５３６９５号公報
【特許文献３】
特開平１０−２７８２４４号公報
【特許文献４】
特開平１０−２９０９５１号公報
【０００５】
【発明が解決しようとする課題】
図６は画像形成装置の１例として、広幅デジタル複写機を示す全体構成図である。この図において、給紙装置１００の上に複写機本体２００が、さらに複写機本体２００の上に読み取り装置（スキャナー部）３００が装着され、全体として複写機を構成している。
【０００６】
読み取り装置３００の原稿台３０１上に置かれた原稿を１枚ずつ読み取り装置３００に給紙し、密着イメージセンサ（ＣＩＳ）３０２によって画像読み取り後に排紙トレイ上に排紙するように構成されている。原稿台３０１上の原稿は、図示省略のサイドフェンスにより幅方向が揃えられ、給紙ローラ３０３によって給紙され、密着イメージセンサ３０２の下に搬送される。
【０００７】
原稿台３０１上には、原稿幅検知センサおよび原稿長さ検知センサが設けてある。前記両センサによって、原稿台３０１から送られる原稿のサイズを検知する。密着イメージセンサ３０２の下の原稿はＬＥＤアレイや蛍光灯などの光源によって露光され、反射光をロッドレンズアレイに通し、密着イメージセンサ３０２上に結像させ、光電変換を行う。
【０００８】
原稿読み取り終了後は、搬送ローラ３０４および排紙ローラ３０５によって排紙トレイ上に排紙される。複写機本体２００は作像部２０１、定着部２０２、排紙部２０３を有しており、密着イメージセンサ３０２によって読み取られた画像信号は画像処理され、ＬＥＤ書き込み装置２０４により、帯電器よって一様に帯電した感光体２０５上に静電潜像を形成する。
【０００９】
給紙装置１００から給送された記録用紙に対して原稿画像の複写を行い、その記録用紙は排紙部２０３を経て、複写機本体２００上面の排紙トレイ２０６、あるいは複写機本体２００後方の排紙トレイ２０７に排出する。
【００１０】
給紙装置１００は、上下２段のロール紙トレイ１０１，１０２を有している。このロール紙トレイ１０１，１０２は、装置筐体から図の左方向に引き出し可能となっており、トレイを引き出した状態でロール紙のセットやジャム処理を行うように構成されている。
【００１１】
ロール紙トレイ１０１，１０２には、それぞれ２つのロール紙をセットすることができる。紙管の周囲に巻装された各ロール紙１０３〜１０６は、１対のペーパーホルダ１０７〜１１０を介して給紙装置１００にセットされる。各ロール紙に対する給紙ローラ１１１〜１１４がロール紙近傍に配設されている。
【００１２】
各給紙ローラ１１１〜１１４によって送り出されたロール紙は、トレイ前面側（図の左側）に設けられたロールカッタユニット１１５，１１６で一定の長さに切断され、記録用紙として、複写機本体２００へと送り込まれる。このカットされて送り込まれた記録用紙は、レジストローラ２０８にて作像タイミングとの同期を取り、感光体２０５に導かれる。
【００１３】
感光体２０５上に形成された画像は転写部２０９により転写され、分離部２１０によって感光体２０５から分離されて搬送ベルト２１１で定着部２０２へ導かれ、画像は熱的に定着される。画像を定着した記録用紙は、排紙部２０３をなす排紙ローラ２１２，２１３によって排紙される。排紙方向は分岐爪２１４により切り替えられ、複写機本体２００上面の排紙トレイ２０６、または複写機本体２００後方の排紙トレイ２０７となる。
【００１４】
定着部２０２と排紙ローラ２１２の間および排紙ローラ２１２と排紙ローラ２１３の間には、排紙センサ２１５，２１６が設けてある。この排紙センサ２１５，２１６によって記録用紙が排紙部２０３にあるか否かを判別できるようになっている。
【００１５】
また図示は省略するが、複写機本体２００には、排紙ローラ２１２，２１３を駆動する駆動制御手段を備えるとともに、読み取り装置３００には動作のスタート指示や、搬送する記録用紙の情報であるリピートコピーや長尺通紙情報を入力するための操作部を設けてある。
【００１６】
上述した複写機において、ロール紙のロールエンドは、例えばロールエンド時に現れるロール紙の紙管の色を反射型のセンサで検知をする、ロールエンド検知装置が利用される。しかし、このようなロールエンド検知装置は、白色の紙管の場合に、紙管の表面を記録用紙として誤検知してしまう。
【００１７】
また、ロール紙後端が紙管から外れ、記録用紙搬送時に反射型センサあるいはフィラー付きフォトインタラプタで後端を検知するが、ロール紙後端を紙管に接着し、固定されている場合、記録用紙の搬送手段（搬送ローラ）が紙管ごと記録用紙を搬送し、紙管によって周辺の部材を損傷してしまう不具合が生じた。
【００１８】
さらに、スプールのような機械幅全体にわたってロール紙を支持する部材の端部をエンコーダによって、スプール自身の回転を検出し、ロールエンドを検出するが、ロール紙のセット性を考慮したフランジタイプのロール紙支持部材では、ロール紙サイズ毎に端面位置が異なり、サイズ毎の検知手段が必要となる。
【００１９】
本発明の第１の目的は、ロール紙に、周面に凹凸状（あるいは爪状）部分を有し、前記ロール紙の紙管の周速Ｖ０　より速い周速Ｖ（Ｖ＞Ｖ０　）で回転する分離円板を当接し、この分離円板の周面でロール紙後端をめくるときに発生する回転ムラを検知することによって、各色の紙管およびロール紙後端の固定（接着）状況にかかわらずロール紙後端を検知することにある。
【００２０】
本発明の第２の目的は、ロールエンド検知装置である周面に凹凸状（あるいは爪状）部分を有する分離円板をロール紙の搬送基準位置（中央、端面）の近傍に当接することにより、ロール紙サイズにかかわらず一定してロール紙後端を検知することにある。
【００２１】
本発明の第３の目的は、ロールエンド検知装置である周面に凹凸状（あるいは爪状）部分を有する分離円板を、ロール紙がロール周面から剥離する（給紙口へ搬送される）位置の近傍に当接することによって、ロールエンド時、確実にロール紙の給紙動作を停止することにある。
【００２２】
【課題を解決するための手段】
前記の課題を解決するために、請求項１記載の発明では、ロール紙を装着し、給送する給紙装置を備えた画像形成装置において、ロールエンド検知装置として、前記ロール紙に当接する、周面に凹凸状部分を有する分離円板を設け、前記分離円板を前記ロール紙の紙管の周速Ｖ０　より速い周速Ｖ（Ｖ＞Ｖ０　）で回転させ、前記分離円板の回転ムラを検知する画像形成装置を最も主要な特徴とする。
【００２３】
請求項２記載の発明では、前記ロール紙の搬送基準位置の近傍に前記分離円板を当接させた請求項１記載の画像形成装置を主要な特徴とする。
【００２４】
請求項３記載の発明では、前記ロール紙が剥離される位置の近傍に前記分離円板を当接させた請求項１記載の画像形成装置を主要な特徴とする。
【００２５】
【発明の実施の形態】
以下、図面により本発明の実施の形態を詳細に説明する。図１は本発明の画像形成装置の実施の形態の給紙装置において使用するロール紙近傍のロールエンド検知装置を示す概略図である。図２は図１のロールエンド検知装置である分離円板とロール紙の最終端（ロールエンド）の細部を示す概略図である。
【００２６】
図１および図２に示すように、給紙装置１１の１部分として紙管１２に巻かれたロール紙１３が示してある。給紙ローラ１６によって送り出されたロール紙１３は、ロールカッタユニット（ここでは図示しないが、従来の技術の説明参照）で一定の長さに切断され、記録用紙として、複写機本体（図示せず）へと送り込まれる。
【００２７】
ロール紙１３に当接して、このロール紙１３のロールエンド（ロール紙最終端）を紙管１２から分離（めくり上げる）する分離円板１０（めくり円板）が設けられる。分離円板１０の周面には分離爪１４を形成する凹凸状の形状部分が設けてある。分離円板１０の周速（Ｖ）が、ロールエンドを迎えるロール紙１３の紙管１２の周速（Ｖ０　）より速くなるように（Ｖ０　＜Ｖ）駆動する。
【００２８】
ロール紙１３がロールエンド（ロール紙最終端）を迎えるとき、ロール紙１３の最終端（ロールエンド）１５が分離円板１０に達し、ロール紙１３の紙管１２の周速（Ｖ０　）より速い分離円板１０は、分離円板１０周面の分離爪１４でロール紙１３の最終端１５をめくり上げる。このとき、分離円板１０は、めくり上げたロール紙によって抵抗を受け、その抵抗負荷により等速回転ができなくなる（回転ムラが発生する）。
【００２９】
この回転ムラを、分離円板１０の駆動手段がモータであれば、そのモータの過電流として検知することによってロール紙がロールエンド（ロール紙最終端）であることを検知する。
【００３０】
また、分離円板１０自体（または分離円板１０を駆動する手段（ベルト、ギヤ、プーリなど））の駆動ムラをエンコーダ等で検知することによって、ロールエンド（ロール紙最終端）を検知する。
【００３１】
図３はロール紙搬送基準が中央にある場合の分離円板の位置を示す上面図である。図３に示すように、紙管１２はスプールあるいはフランジタイプの支持部材であり、これによってロール紙１３の回転を支持する。
【００３２】
この場合に、ロール紙１３の搬送基準は、図示のごとく、中央基準であり、分離円板１０をロール紙１３に当接させる位置はロール紙１３の中央近傍である。
【００３３】
図４はロール紙搬送基準が給紙装置の端面基準にある場合の分離円板の位置を示す上面図である。図示のごとく、分離円板１０は給紙装置１１内のロール紙１３の基準側の端面近傍に配置する。
【００３４】
図５は図１のロールエンド検知装置である分離円板をロール紙に対して配置する位置を説明する概略図である。図５に示すように、分離円板１０は、給紙ローラ対１６によって給紙口（図示せず）へと給送されるロール紙１３が、ロール周面から剥離する剥離位置Ａの近傍に当接する。
【００３５】
このとき、分離円板１０がロール紙１３の最終端１５をめくり上げ（図２参照）、ロールエンドを検知してから最終端１５が剥離位置Ａに到達する距離は、ほぼ紙管１２の回転の１周分あり、ロールエンドによるロール紙１３の給送を停止する一連の動作（ロール紙をカッターユニットでカットして給送を停止する）をこの区間で達成する。
【００３６】
【発明の効果】
以上説明したように、請求項１に記載の発明によれば、ロールエンド検知装置の周面が、ロール紙に対して凹凸状（あるいは爪状）部分を有しており、ロール紙の紙管の周速Ｖ０　より速い周速Ｖ（Ｖ＞Ｖ０　）で回転する分離円板をロール紙に当接し、この分離円板の周面でロール紙後端（ロールエンド）をめくるときに発生する回転ムラを検知するので、各色の紙管およびロール紙後端の固定（接着）状況にかかわらずロール紙後端を検知することができる。
【００３７】
請求項２に記載の発明によれば、ロールエンド検知装置である周面が凹凸状（あるいは爪状）部分を有する分離円板をロール紙の搬送基準位置（中央、端面）の近傍に当接するので、ロール紙サイズにかかわらず一定してロール紙後端を検知することができる。
【００３８】
請求項３に記載の発明によれば、ロールエンド検知装置である周面が凹凸状（あるいは爪状）部分を有する分離円板をロール紙がロール周面から剥離する（給紙口へ搬送される）位置の近傍に当接することによって、ロールエンド時に、確実にロール紙の給紙動作を停止することができる。
【図面の簡単な説明】
【図１】本発明の画像形成装置の実施の形態の給紙装置において使用するロール紙近傍のロールエンド検知装置を示す概略図である。
【図２】図１のロールエンド検知装置である分離円板とロール紙の最終端（ロールエンド）の細部を示す概略図である。
【図３】ロール紙搬送基準が中央にある場合の分離円板の位置を示す上面図である。
【図４】ロール紙搬送基準が給紙装置の端面基準にある場合の分離円板の位置を示す上面図である。
【図５】図１のロールエンド検知装置である分離円板をロール紙に対して配置する位置を説明する概略図である。
【図６】画像形成装置の１例として、広幅デジタル複写機を示す全体構成図である。
【符号の説明】
１０　分離円板（ロールエンド検知装置）
１２　紙管
１３　ロール紙
１４　凹凸状部分（分離爪）
１５　ロール紙最終端（ロールエンド）
【図１】
2004107080.tif 000003
【図２】
2004107080.tif 000004
【図３】
2004107080.tif 000005
【図４】
2004107080.tif 000006
【図５】
2004107080.tif 000007
【図６】
2004107080.tif 000008